(57)【要約】  【課題】  吸込口体を延長管等に接続する際に回動操作する必要のないアタッチメントと電気掃除機を提供する。【解決手段】 延長管の先端部に後部が着脱自在に接続される風路管２１と、この風路管２１の先端部に配置された毛ブラシ３２を有し且つその風路管に対して傾動自在に設けられたブラシ体３０とを備え、風路管２１の先端部は塵埃を吸引する吸込口体の回動管４１が着脱自在に接続可能となされ、且つ、毛ブラシ３２を被清掃面に当接させながら延長管などを前後に移動させて被清掃面を清掃する際に、ブラシ体３０の前後の毛ブラシ３２が被清掃面から浮かないようにその移動に応じてブラシ体３０が前後に傾動するアタッチメント２０であって、回動管４１とブラシ体３０とにそれぞれ磁石Ｍｇ１,Ｍｇ２,Ｍｇ３,Ｍｇ４を設け、前記吸込口体の回動管４１を風路管２１に接続する際に、それら磁石Ｍｇ１,Ｍｇ２,Ｍｇ３,Ｍｇ４の吸引力によりブラシ体３０が傾動前の所定状態に戻される。【選択図】  図９
2005334041.tif 000002
【特許請求の範囲】
【請求項１】
掃除機本体の集塵室に連通される集塵ホースの先端部または延長管の先端部に後部が着脱自在に接続される風路管と、この風路管の先端部の外周囲を囲むように配置されたブラシを有し且つその風路管に対して傾動自在に設けられたブラシ体とを備え、前記風路管の先端部は塵埃を吸引する吸込口体の回動管が着脱自在に接続可能となっているアタッチメントであって、
前記回動管と前記ブラシ体とにそれぞれ磁石を設け、
前記吸込口体の回動管を前記風路管に接続する際に、それら磁石の磁力により前記ブラシ体が傾動前の所定状態に戻されることを特徴とするアタッチメント。
【請求項２】
掃除機本体の集塵室に連通される集塵ホースの先端部または延長管の先端部に後部が着脱自在に接続される風路管と、この風路管の先端部の外周囲を囲むように配置されたブラシを有し且つその風路管に対して傾動自在に設けられたブラシ体とを備え、前記風路管の先端部は塵埃を吸引する吸込口体の回動管が着脱自在に接続可能となっているアタッチメントであって、
前記風路管と前記ブラシ体の枠体とにそれぞれ磁石を設け、
前記ブラシが被清掃面に非当接状態のとき、それら磁石の磁力により前記ブラシ体が傾動前の所定状態に戻されることを特徴とするアタッチメント。
【請求項３】
請求項１または請求項２に記載のアタッチメントを備えたことを特徴とする電気掃除機。
【発明の詳細な説明】
【技術分野】
【０００１】
この発明は、例えば延長管の先端部に着脱自在に接続されるアタッチメントと、このアタッチメントを備えている電気掃除機とに関する。
【背景技術】
【０００２】
従来から、図１４および図１５に示すアタッチメント１が知られている（特許文献１参照）。
【０００３】
かかるアタッチメント１は、延長管２の先端部に回動自在に取り付けられた枠体３と、この枠体３に植毛された毛ブラシ４とを有している。このアタッチメント１により部屋のコーナや障子の桟などを掃除するものである。
【０００４】
また、延長管２の先端部に吸込口体を接続する場合には、図１６に示すようにアタッチメント１を回動させて、その先端部に吸込口体を接続すればよい。
【特許文献１】特開２０００−１９７５９７号公報
【発明の開示】
【発明が解決しようとする課題】
【０００５】
しかしながら、このようなアタッチメント１にあっては、吸込口体を接続する場合に、図１６に示すようにアタッチメント１を回動させなければならず、その操作が面倒であるという問題があった。また、アタッチメント１を回動操作する際に毛ブラシ４に手が触れてしまい、不衛生であるという問題があった。
【０００６】
この発明の目的は、吸込口体を延長管等に接続する際に回動操作する必要のないアタッチメントと電気掃除機を提供することにある。
【課題を解決するための手段】
【０００７】
上記目的を達成するため、請求項１の発明は、掃除機本体の集塵室に連通される集塵ホースの先端部または延長管の先端部に後部が着脱自在に接続される風路管と、この風路管の先端部の外周囲を囲むように配置されたブラシを有し且つその風路管に対して傾動自在に設けられたブラシ体とを備え、前記風路管の先端部は塵埃を吸引する吸込口体の回動管が着脱自在に接続可能となっているアタッチメントであって、
前記回動管と前記ブラシ体とにそれぞれ磁石を設け、
前記吸込口体の回動管を前記風路管に接続する際に、それら磁石の磁力により前記ブラシ体が傾動前の所定状態に戻されることを特徴とする。
【０００８】
請求項２の発明は、掃除機本体の集塵室に連通される集塵ホースの先端部または延長管の先端部に後部が着脱自在に接続される風路管と、この風路管の先端部の外周囲を囲むように配置されたブラシを有し且つその風路管に対して傾動自在に設けられたブラシ体とを備え、前記風路管の先端部は塵埃を吸引する吸込口体の回動管が着脱自在に接続可能となっているアタッチメントであって、
前記風路管と前記ブラシ体の枠体とにそれぞれ磁石を設け、
前記ブラシが被清掃面に非当接状態のとき、それら磁石の磁力により前記ブラシ体が傾動前の所定状態に戻されることを特徴とする。
【発明の効果】
【０００９】
この発明によれば、吸込口体の回動管を前記風路管に接続する際に、ブラシ体が傾動前の所定状態に戻されるものであるから、ブラシ体を回動操作する必要がない。このため、吸込口体へのアタッチメントの接続が容易に行える。
【発明を実施するための最良の形態】
【００１０】
以下、この発明に係るアタッチメントと、このアタッチメントを備えた電気掃除機の実施例を図面に基づいて説明する。
【実施例】
【００１１】
［第１実施例］
図１に示す電気掃除機１０は、掃除機本体１１と、この掃除機本体１１の接続口１０Ａに一端が着脱自在に接続されその他端には手元操作管１３が設けられている集塵ホース１２と、手元操作管１３に着脱自在に接続した延長管１４と、延長管１４の先端部に着脱自在に接続されたアタッチメント２０と、このアタッチメント２０の先端部に着脱自在に接続された吸込口体４０とを備えている。
【００１２】
電気掃除機本体１１内には、集塵室１５を負圧にする電動送風機１７が設けられており、集塵室１５には集塵フィルタ１６が着脱可能に装着されている。
【００１３】
手元操作管１３には操作部１３Ａが設けられており、この操作部１３Ａには操作スイッチ１３ａが設けられている。
【００１４】
吸込口体４０には、図２に示すように底面に塵埃を吸引する吸込開口（塵埃吸込口）４０Ａを形成した吸込室（図示せず）が形成されており、この吸込室はアタッチメント２０,延長管１４および集塵ホース１２を介して掃除機本体１１内に設けた集塵室１５に連通している。また、吸込口体４０には図示しない回転清掃体とこの回転清掃体を回転させるモータＭａとが設けられている。
【００１５】
そして、図３に示すように、延長管１４の先端部に接続したアタッチメント２０から吸込口体４０を取り外し、図４に示すようにアタッチメント２０を左右方向（前後方向）に移動させれば、被清掃面上の塵埃を吸引する補助用の吸込口体として使用することができる。また、図２に示すように、そのアタッチメント２０に吸込口体４０を接続すれば、吸込口体４０の吸込開口４０Ａから塵埃を吸引することができるようになっている。
【００１６】
この吸込口体４０は、図３に示すように前後方向に回動する回動管４１を後部に有しており、この回動管４１は吸込口体４０の吸込室（図示せず）に連通している。回動管４１には台座部４４が設けられており、この台座部４４には、基台４４Ａが設けられている。基台４４Ａには、上方（図３において）へ突出した係止爪Ｋと、上方へ突出するとともにモータＭａ（図２参照）へ電力を給電する端子ピンＰ１,Ｐ２とが設けられている。
【００１７】
また、回動管４１の上部の両側壁部４１Ａ,４１Ｂにはそれぞれ磁石Ｍｇ１,Ｍｇ２が設けられている。
【００１８】
係止爪Ｋは、回動管４１とアタッチメント２０の風路管２１（図６参照）との接続をロックするものである。そして、図２に示すように延長管１０をほぼ９０度起立させた状態で前方へ傾けていくと、回動管部４１に設けた図示しないボタン（ボタン４２の下方に設けられている）が吸込口本体４６の突出部４３の後端に当接して押されていき、これにより係止爪Ｋによるロックが解除される。そして、延長管１４を上方に引っ張ることにより、図３に示すようにアタッチメント２０から吸込口体４０が外れるようになっている。なお、ボタン４２は延長管１０を起立させなくとも手で押すことにより上記ロックを解除するようになっている。
【００１９】
アタッチメント２０は、図５および図６に示すように、延長管１４の先端部に接続される風路管２１と、この風路管２１の先端部（下部）に回動自在に取り付けられたブラシ体３０とを備えている。
【００２０】
風路管２１の先端部の両側壁部２１Ａ,２１Ｂには、図６に示すように、相対向する位置に軸孔２２Ａ,２２Ｂが形成されている。
【００２１】
また、風路管２１の右側方にはケーシング部２５が形成され、このケーシング部２５内には一対の給電用の雌コネクタ（図示せず）と、係止爪Ｋ（図３参照）に係止する係止部（図示せず）とが設けられている。ケーシング部２５の底壁部２５Ａには、係止爪Ｋが挿入される穴Ｈ１と、端子ピンＰ１,Ｐ２が挿入される孔Ｈ２,Ｈ３とが設けられている。２６はケーシング部２５を覆うカバーケースである。
【００２２】
そして、吸込口体４０の係止爪Ｋをアタッチメント２０の穴Ｈ１に挿入し、吸込口体４０の端子ピンＰ１,Ｐ２をアタッチメント２０の孔Ｈ２,Ｈ３に挿入して、図２に示すように、吸込口体４０をアタッチメント２０に接続すると、係止爪Ｋがアタッチメント２０の係止部に係合してその接続がロックされ、端子ピンＰ１,Ｐ２がアタッチメント２０の雌コネクタに接続されるようになっている。
【００２３】
ブラシ体３０は、図７に示すように、環状の枠体３１と、この枠体３１の下面３１Ａに植毛された毛ブラシ（ブラシ）３２等とから構成されている。枠体３１の内側には上方に突出するとともに相対向した一対の軸受部３３,３４が形成されており、この軸受部３３,３４には内側に突出した軸３５Ａ,３５Ｂが設けられている。
【００２４】
軸３５Ａ,３５Ｂは、図８に示すように、風路管２１の軸孔２２Ａ,２２Ｂに回動自在に挿入されており、ブラシ体３０は軸３５Ａ,３５Ｂ回り、すなわち軸孔２２Ａ,２２Ｂを中心にして回動自在となっている。また、ブラシ体３０は、図６に示す位置から枠体３１がカバーケース２６の底面２６Ａに当接するまでの範囲を軸孔２２Ａ,２２Ｂを中心にして回動することができる。なお、軸孔２２Ａ,２２Ｂの替わりに凹状の軸受部にすれば、その軸受部にゴミが引っかかることがない。
【００２５】
そして、ブラシ体３０の枠体３１がカバーケース２６の底面２６Ａに当接しているときには、図２に示すようにブラシ体３０は風路管２１に対して傾いていない位置（所定位置：収納位置）に位置していて、風路管２１とほぼ直交する方向に向いている。
【００２６】
また、軸受部３３,３４には、図７に示すように、磁石Ｍｇ３,Ｍｇ４が設けられており、磁石Ｍｇ３と磁石Ｍｇ１は互いに吸引し、磁石Ｍｇ４と磁石Ｍｇ２は互いに吸引するように磁極の向きが設定されている。
［動  作］
次に、上記のように構成されるアタッチメント２０と電気掃除機１０の動作について説明する。
【００２７】
先ず、図１に示すように、集塵ホース１２を掃除機本体１１の接続口１０Ａに接続するとともに手元操作管１３に延長管１４を接続し、この延長管１４の先端にアタッチメント２０を接続し、さらにアタッチメント２０に吸込口体４０を接続する。
【００２８】
そして、手元操作管１３の操作部１３Ａのスイッチ１３ａを操作すると電動送風機１７が駆動される。この電動送風機１７の駆動により集塵室１５が負圧となり、この負圧が集塵ホース１２,延長管１４,アタッチメント２０および吸込口体４０の吸込室に作用し、吸込口体４０の吸込開口４０Ａから空気とともに塵埃が吸引されていく。
【００２９】
この吸引された塵埃および空気がアタッチメント２０,延長管１４および集塵ホース１２を介して掃除機本体１１の集塵フィルタ１６に吸引されていく。そして、この集塵フィルタ１６に塵埃が集塵されていく。
【００３０】
床面（被清掃面）をブラシで擦りながら清掃する場合には、電動送風機１７の駆動を停止させた後、図３に示すように延長管１４を立てていき、回動管部４１のボタン（図示せず）を吸込口本体４６の突出部４３より押して係止爪Ｋのロックを解除する。そして、延長管１４を上方に引っ張ることにより、図３に示すように吸込口体４０からアタッチメント２０を取り外す。
【００３１】
この後、電動送風機１７を駆動させるとともに図４に示すようにアタッチメント２０を前後に移動させることによりアタッチメント２０のブラシ体３０で床面を擦っていく。
【００３２】
そして、ブラシ体３０の毛ブラシ３２を床面に当接させて、延長管１４を前後に移動させると、ブラシ体３０はその移動に応じて風路管２１に対して軸３５Ａ,３５Ｂ回り、すなわち風路管２１の軸孔２２Ａ,２２Ｂ（図６参照）を中心にして回動する。このため、ブラシ体３０の毛ブラシ３２の毛先の全体を床面に当接させながら床面を清掃することができる。
【００３３】
掃除が終了して電気掃除機１０を収納する場合や吸込口体４０によって掃除を行う場合、図９に示すように、アタッチメント２０の風路管２１の先端部に吸込口体４０の回動管４１の上部を差し込んで接続するが、この接続の際、アタッチメント２０のブラシ体３０が風路管２１に対して図９に示すように傾いていても、吸込口体４０の回動管４１の磁石Ｍｇ１,Ｍｇ２と、ブラシ体３０の磁石Ｍｇ３,Ｍｇ４とが互いに吸引するので、その回動管４１が図９の矢印Ｑ１方向に差し込まれるにしたがって、ブラシ体３０は軸３５Ａ,３５Ｂを中心にして反時計回りに回動していく。
【００３４】
そして、図１０に示すように、ブラシ体３０の枠体３１がカバーケース２６の底面２６Ａに当接して、ブラシ体３０は所定位置に戻される。さらに、回動管４１を図１０に示す矢印Ｑ１方向に差し込んでいくと、吸込口体４０の係止爪Ｋがアタッチメント２０の穴Ｈ１に挿入され、吸込口体４０の端子ピンＰ１,Ｐ２がアタッチメント２０の孔Ｈ２,Ｈ３に挿入されていき、図２に示すように、吸込口体４０はアタッチメント２０に接続される。そして、係止爪Ｋはアタッチメント２０の穴Ｈ１に挿入されることによりアタッチメント２０の係止部に係合してその接続がロックされ、その接続は完了する。
【００３５】
ところで、吸込口体４０の係止爪Ｋや端子ピンＰ１,Ｐ２がアタッチメント２０の孔Ｈ１,Ｈ２,Ｈ３に挿入されるとき、ブラシ体３０は磁石Ｍｇ１,Ｍｇ２の吸引力により所定位置に戻っているので、ブラシ体３０の毛ブラシ３２がアタッチメント２０の孔Ｈ１,Ｈ２,Ｈ３内に挟み込まれてしまうことが防止される。
【００３６】
上述のように、アタッチメント２０の風路管２１の先端部に吸込口体４０の回動管４１を差し込んでいくだけで、ブラシ体３０が所定位置に戻されるので、アタッチメント２０に吸込口体４０を接続する際、ブラシ体３０を所定位置に戻すための回動操作を行う必要がない。
［第２実施例］
図１１は第２実施例のアタッチメント１２０を示したものであり、このアタッチメント１２０は、吸込口体４０の磁石Ｍｇ１,Ｍｇ２の代わりに磁石Ｍｇ５,Ｍｇ６をブラシ体３０の枠体３１の内側に設け、磁石Ｍｇ３,Ｍｇ４と磁石Ｍｇ５,Ｍｇ６との吸引力でブラシ体３０が所定位置に戻るようにしたものである。
【００３７】
このアタッチメント１２０によれば、図１２に示すように、延長管１４を前後に移動させて掃除を行うと、磁石Ｍｇ３,Ｍｇ４と磁石Ｍｇ５,Ｍｇ６との吸引力に抗して、ブラシ体３０はその移動に応じて風路管２１の軸孔２２Ａ,２２Ｂを中心にして回動する。このため、第１実施例と同様にブラシ体３０の毛ブラシ３２の毛先の全体を床面に当接させながら床面を清掃することができる。
【００３８】
そして、図１３に示すように延長管１４を操作してブラシ体３０を床面Ｙから持ち上げると、磁石Ｍｇ３,Ｍｇ４と磁石Ｍｇ５,Ｍｇ６との吸引力で、ブラシ体３０が所定位置に戻る。
【００３９】
このため、アタッチメント１２０に吸込口体４０を接続する際、ブラシ体３０を所定位置に戻すための回動操作を行う必要がない。
【図面の簡単な説明】
【００４０】
【図１】この発明に係る電機掃除機の外観を示した斜視図である。
【図２】延長管に接続されたアタッチメントに吸込口体を接続したものを示した斜視図である。
【図３】アタッチメントから吸込口体を取り外した状態を示した斜視図である。
【図４】延長管にアタッチメントを接続したものを示した斜視図である。
【図５】図４のアタッチメントを示した斜視図である。
【図６】図５に示しアタッチメントの一部を切欠した斜視図である。
【図７】ブラシ体の構成を示した斜視図である。
【図８】アタッチメントの風路管と、この風路管に取り付けられたブラシ体とを示した断面図である。
【図９】アタッチメンチの風路管に吸込口体の回動管を差し込む状態を示した断面図である。
【図１０】ブラシ体が元の位置に戻される状態を示した説明図である。
【図１１】第２実施例のアタッチメントを示した斜視図である。
【図１２】延長管に第２実施例のアタッチメントを接続したものを示した斜視図である。
【図１３】第２実施例のアタッチメントを床面から持ち上げた状態を示した斜視図である。
【図１４】先端に従来のアタッチメントを取り付けた延長管を示した側面図である。
【図１５】図１４の一部分を拡大した拡大図である。
【図１６】アタッチメントを回動させた状態を示した説明図である。
【符号の説明】
【００４１】
２０            アタッチメント
２１            風路管
３０            ブラシ体
３２            毛ブラシ（ブラシ）
４１            回動管
Ｍｇ１,Ｍｇ２   磁石
Ｍｇ３,Ｍｇ４   磁石
【図１】
2005334041.tif 000003
【図２】
2005334041.tif 000004
【図３】
2005334041.tif 000005
【図４】
2005334041.tif 000006
【図５】
2005334041.tif 000007
【図６】
2005334041.tif 000008
【図７】
2005334041.tif 000009
【図８】
2005334041.tif 000010
【図９】
2005334041.tif 000011
【図１０】
2005334041.tif 000012
【図１１】
2005334041.tif 000013
【図１２】
2005334041.tif 000014
【図１３】
2005334041.tif 000015
【図１４】
2005334041.tif 000016
【図１５】
2005334041.tif 000017
【図１６】
2005334041.tif 000018